(57)【要約】【課題】  お骨を適温，適湿の状態で常時保管，保存でき、お骨の安全，安心状態の保存等ができる簡便構造の骨壺を提供する。【解決手段】  骨壺１は壺２とこの開口部５を閉止する蓋３とからなり、壺２の下方には壺２の全容積の３０％程度の容積に水体（一般水６）が配置されると共に壺２の壁部７に小孔８が形成される。これにより、壺２内は常温，適温，適湿に保持され、結露も生じず内部に結露による水が溜ることがない。【選択図】  図１
0003109999.tif 000002
【実用新案登録請求の範囲】
【請求項１】
お骨を収納する壺とこの開口部を開閉可能に閉止する蓋を有する骨壺であって、該骨壺は、前記壺の下方側の該壺の全容積の数分の１に相当する部分に水体を配置すると共に前記壺の前記水体を配置しない壁部に水滴や空気の流通可能な小孔を貫通形成することを特徴とする骨壺。
【請求項２】
前記水体が、一般水であり、該一体水は前記の蓋の開放により供給されるか、又は前記壺の前記壁部に設けられる開閉弁を介して水供給源から送水されることを特徴とする請求項１に記載の骨壺。
【請求項３】
前記水体が、一般水又は特殊水をケース内に収納したものからなり、該ケースのお骨が搭載される表面側には流通孔が形成されることを特徴とする請求項１に記載の骨壺。
【請求項４】
前記特殊水が、イオン水やミネラルウォータや塩水であることを特徴とする請求項３に記載の骨壺。
【請求項５】
前記小孔が、下向きに形成されることを特徴とする請求項１に記載の骨壺。
【考案の詳細な説明】
【技術分野】
【０００１】
本考案は、お骨（遺骨）を収納し、カロート等内に保管される骨壺に係り、特に、壺内部に水が溜ることがなく、かつ壺内の乾燥や異常温度上昇がなく、お骨が長期間安定、かつ安心した状態で保管される簡便構造の骨壺に関する。
【背景の技術】
【０００２】
カロート等に保管されている骨壺は、外気の寒暖の影響により結露が生じ、長期間保管されていると壺内部に水が溜り、お骨が壺内部で水びたしの状態で保管されることが多い。このことは、遺骨の良好保管に反するものであり、宗教的に考える場合、故人を尊重したことにならず、その結果、家庭内に不和や事故をもたらすことが考えられる。また、壺内が水びたしにならないまでも湿気が多くなり、お骨の安定，安心保存に反する場合が多い。このため、従来より種々の形成の骨壺があり、例えば、「特許文献１」、「特許文献２」、「特許文献３」、「特許文献４」、「特許文献５」等が挙げられる。
【特許文献１】特開平１０−１２７７１２号（図１）
【特許文献２】特開平８−２８０７６１号（図１）
【特許文献３】特開平７−２５５７９６号（図１）
【特許文献４】特開２００２−１１０５９号（図１）
【特許文献５】特開２００２−３０６５５０号（図１）
【考案の開示】
【考案が解決しようとする課題】
【０００３】
「特許文献１」の「特開平１０−１２７７１２号」の「骨壺」は無通水性の中空容器の底に通水性の部分を設け、中空容器内の結露による水蒸気の凝結によって生じた水を排水し、内部の水たまりをなくし遺骨の水没を防止するものである。また、「特許文献２」の「特開平８−２８０７６１号」の「遺骨収納容器」は、遺骨の納められている容器本体の底部側に容器内に自然に生成される水を外部に逃がす排水路を設けたものである。また、「特許文献３」の「特開平７−２５５７９６号」の「納骨用の骨壺」は、脚付きの壺の底部に水抜孔を設けて内部の水びたしを防止すると共に底部に敷板を設け容器の内部を乾燥状態に保持することを可能としたものである。また、「特許文献４」の「特開２００２−１１０５９号」の「遺骨」は、骨を収納する骨壺本体内を密閉状態にすると共に乾燥剤を収納し、骨壺本体内部の湿度が高くなることを防止するようにしたものである。また、「特開２００２−３０６５５０号」の「骨つぼ」は、骨を収納するつぼ本体内に乾燥剤を収納し、骨（舎利）を乾燥状態に保持することを特徴とするものである。
【０００４】
以上の各「特許文献」１乃至５は夫々特徴を有するものであるが、次のような問題点がある。お骨は申すまでもなく遺骨であって人体とは相異するものである。しかしながら、お骨は生前の人体の骨格を形成していた大切なものであり、生前の人体と同様に大切にすべきものである。人体には水と空気が必要であり、適量の水と適温の空気が必要である。このことはお骨になっても例外ではなく、水と空気が常にお骨に触れていることがお骨を安全に、かつ安心に保管，保存できる要因となる。この意味で骨壺内は適度の湿り気があり、空気も流通して内部が高温にならず、異常乾燥状態にならないことが必要である。この要件に立脚すると前記の「特許文献」１乃至５には夫々問題点があり、お骨を安全，安心に保管，保存し得るものとは言えない。
【０００５】
本考案は、以上の事情に鑑みて考案されたものであり、壺内を常に適湿，適温に保持でき、お骨を安全，安心に保存し得る骨壺を提供することを目的とする。
【課題を解決するための手段】
【０００６】
本考案は、以上の目的を達成するために、請求項１の考案は、お骨を収納する壺とこの開口部を開閉可能に閉止する蓋を有する骨壺であって、該骨壺は、前記壺の下方側の該壺の全容積の数分の１に相当する部分に水体を配置すると共に前記壺の前記水体を配置しない壁部に水滴や空気の流通可能な小孔を貫通形成することを特徴とする。
【０００７】
また、請求項２の考案は、前記水体が、一般水であり、該一体水は前記の蓋の開放により供給されるか、又は前記壺の前記壁部に設けられる開閉弁を介して水供給源から送水されることを特徴とする。
【０００８】
また、請求項３の考案は、前記水体が、一般水又は特殊水をケース内に収納したものからなり、該ケースのお骨が搭載される表面側には流通孔が形成されることを特徴とする。
【０００９】
また、請求項４の考案は、前記特殊水が、イオン水やミネラルウォータや塩水であることを特徴とする。
【００１０】
また、請求項５の考案は、前記小孔が、下向きに形成されることを特徴とする。
【考案の効果】
【００１１】
本考案の請求項１に記載の「骨壺」によれば、お骨の収納されている壺の下方側に適量の水体が常時存在すると共に水体の存在しない壺の上方側の壁部に水滴や空気の流通可能な水孔があるため、壺の結露が防止され、水滴が外部に排水され適宜の湿度に壺内部を保持でき、かつ壺内には空気が存在しているため、お骨には常に水分と空気が接触し、良好の状態に常に保持される。これにより、お骨の安全，安心の保管，保存が行われる。
【００１２】
また、本考案の請求項２の「骨壺」によれば、水体が一般水からなり、この一般水は蓋開放により注水可能であると共に、開閉弁を介して水供給源から供給可能のものであり、水の供給が簡単に行われる。
【００１３】
また、本考案の請求項３の「骨壺」によれば、水体はケース内に収納される一般水や特殊水からなり、お骨は水体内に埋沈されるものではなく、ケースの表面側の流通孔を介して通量の水体がお骨に接触するものからなり、お骨への水の供給が安定して行われる。
【００１４】
また、本考案の請求項４の「骨壺」によれば、特殊水が、イオン水やミネラルウォータや塩水からなるため、お骨に栄養分が供給され、お骨の安全，保管，保存が可能になる。
【００１５】
また、本考案の請求項５の「骨壺」によれば、壺の壁部に形成される小孔が下向きのものからなり、壺の外面側からの水滴の壺内への進入が防止されると共に、壺内部からの水滴の排水がより効果的に行われる。
【考案を実施するための最良の形態】
【００１６】
以下、本考案の「骨壺」の実施の形態を図面を参照して詳述する。
【実施例１】
【００１７】
図１に示すように、骨壺１はお骨４を収納する壺２と、この上方の開口部５を着脱可能に閉止する蓋３等とからなる。なお、壺２や蓋３は通常は陶磁器からなるが、木材や金属その他のものが採用される。壺２の下方側に壺２の全容積の数分の１に相当する部分に水体が配置される。なお、本実施例では水体は一般水６からなり、その一般水６の量は壺２全容積の３０％程度のものであるが、勿論これに限定するものではない。壺２の一般水６の存在していない部分の壁部７には壺２内と外気側とを流通させる複数個の小孔８が形成される。なお、骨壺１は全体として図略のカロート内に収納されて保管，保存される。
【００１８】
以上の構造の骨壺１によれば、まず、壺２内には常に水分が存在しているため適度の湿度に保持される。また、骨壺１は夏期や温暖時には可能内部温度が上り、冬期には内部がかなり低温となり、内部に空気が存在しているため結露し易く、結露による凝固水が内部に溜る作用が働くが、本実施例の骨壺１の場合は水分が常に存在すると共に壁部７に小孔８が存在するため外気状態の変化に対しても結露が発生せず、かつ適宜の湿気が存在し乾燥状態になることはない。また、小孔から外気が壺２内にも進入し、壺２内は適温，適湿の状態に保持される。これにお骨４は長期間安全，安心の状態で保管，保存される。
【実施例２】
【００１９】
実施例１に示した骨壺１内の水体（一般水６）は蓋３を開放することにより容易に投入されるが、この作業は面倒であり、図２に示すように開閉弁９を介して外部側の水供給源１０から供給されるようにしてもよい。なお、開閉弁９と水供給源１０とは例えば、パイプ１１等により連結され、水供給源はカロート（図略）外の外気側に配置されるものでもよい。
【実施例３】
【００２０】
実施例１及び２の骨壺１は水体として一般水６を採用したが、水体は一般水６でなくてもよく、イオン水やミネラルウォータや塩水のような特殊水６ａであってもよい。また、この場合、図３に示すように一般水６や特殊水６ａはケース１２に収納される。ケース１２は前記した場合と同じく壺２の全容積の３０％程度の大きさのものが、一例として採用される。なお、ケース１２の表面板１３には、ケース１２内と壺２の内部とを流通させる流通孔１４が形成される。なお、この実施例３の場合にも壁部７に小孔８が形成されていることは言うまでもない。以上の構造により、お骨４は水体内に埋沈することが防止され、その保管，保存がより一層安全に行われると共に、適量の水分がお骨４に供給されて安全な保管，保存ができる効果が上げられる。なお、特殊水６ａを用いることにより、お骨４の保存がより良好に行われる。
【実施例４】
【００２１】
前記の実施例１乃至３の場合、壺２の壁部７に設けられた小孔８の形成状態については特に説明していないが、小孔８は壁部７の壁面に対して直角に形成されていてもよいが、図４に示すように小孔８下向きに形成されることが望ましい。小孔８の下向きに傾斜させることにより、壺２の外部からの水の進入が防止されると共に壺２の内部からの水滴等の排出がより効果的に行われる。
【００２２】
以上のように、本考案の骨壺１が形成されているため、お骨４の安全，安心の保管，保存ができ、故人の尊重が従来のものに較べて格段に向上し、遺族に対して不幸な出来ごとが発生することが防止されると思われる。また、お骨４はいずれは壺２内から出されてカロート内の浄土に還されることになるが、それまでお骨４を安全，安心に長期間保管，保存することが大切であり、本考案によりそれが実現されことになる。
【産業上の利用可能性】
【００２３】
本考案の骨壺は従来より存在するすべての骨壺に対しても適用可能であり、その利用範囲は広い。
【図面の簡単な説明】
【００２４】
【図１】本考案の骨壺の全体構造を示す断面図。
【図２】本考案の骨壺の別の実施例を示す断面図。
【図３】本考案の更に別の実施例を示す断面図。
【図４】壺の壁部に形成される小孔の形成状態を示す部分断面図。
【符号の説明】
【００２５】
１    骨壺
２    壺
３    蓋
４    お骨
５    開口部
６    一般水
６ａ  特殊水
７    壁部
８    小孔
９    開閉弁
１０  水供給源
１１  パイプ
１２  ケース
１３  表面板
１４  流通孔
【図１】
0003109999.tif 000003
【図２】
0003109999.tif 000004
【図３】
0003109999.tif 000005
【図４】
0003109999.tif 000006